(57)【要約】【課題】  本発明は風速分布がある領域に対して複数のパスに分配しても熱交換器全体で風速分布の影響なく，空気と均一な熱交換ができる熱交換器およびそれを用いたヒートポンプ式給湯機を提供することを目的とする。【解決手段】  減圧装置後に分配器と，前記減圧弁で減圧された冷媒と空気とを熱交換させる空気熱交換器と前記空気熱交換器の吹き出し側に送風ファンを備え，前記空気熱交換器は複数のパスで構成されたものにおいて，前記空気熱交換器において大きな風速領域および小さな風速領域から流入した冷媒は中間風速領域から流出することを特徴とする。【選択図】図3
2015034669.tif 000002
【特許請求の範囲】
【請求項１】
空気を通過させるためのファンと、
冷媒が通過する第1のパスと第２のパスを備え、
前記空気と前記冷媒との間で熱を交換する熱交換器において、
前記第1のパスの入口付近の前記空気の流速が、前記第1のパスの出口付近の前記空気の流速よりも大であって、
前記第２のパスの入口付近の前記空気の流速が、前記第２のパスの出口付近の前記空気の流速よりも小であることを特徴とする熱交換器。
【請求項２】
請求項１において、
前記第1のパスの出口へ向かう部分を通過する前記空気の流速と、前記第２のパスの出口へ向かう部分を通過する前記空気の流速とが、ほぼ等しいことを特徴とする熱交換器。
【請求項３】
請求項１において、
前記第1のパスの出口へ向かう部分が、前記第２のパスの出口へ向かう部分の近傍に設置されたことを特徴とする熱交換器。
【請求項４】
請求項３において、
前記第1のパスの出口へ向かう部分の延在方向が、前記第２のパスの出口へ向かう部分付近の延在方向と、ほぼ等しいことを特徴とする熱交換器。
【請求項５】
請求項１において、
前記第1のパスが、前記第２のパスよりも上方に設置されたことを特徴とする熱交換器。
【請求項６】
請求項1に記載の熱交換器と、
前記熱交換器から流出した冷媒を圧縮する圧縮手段と、
前記圧縮手段から排出された冷媒と被加熱媒体とを熱交換させる加熱熱交換器と、
前記加熱熱交換器から流出された冷媒を膨張させる膨張手段を備えることを特徴とするヒートポンプ式給湯機。
【発明の詳細な説明】
【技術分野】
【０００１】
本発明は熱交換器およびそれを用いたヒートポンプ式給湯機に関する。
【背景技術】
【０００２】
従来の空気調和器およびヒートポンプ式給湯機では室外熱交換器を通過する空気の風速分布に偏りが生じ，複数のパスに冷媒を分配する熱交換器の各パスにおいて均等な熱交換ができない。そのため特許文献１のように風速分布が一様でない上段と下段を単一パスとし，風速分布がある程度一様な中間部で複数のパスとするものが提案されている。
【先行技術文献】
【特許文献】
【０００３】
【特許文献１】特開2010-127570号公報
【発明の概要】
【発明が解決しようとする課題】
【０００４】
しかしながら，上記従来技術では上段部と下段部を単一パスとしているため複数のパスに分配しているものと比べて圧力損失が大きくなり，特に管径の小さい場合十分な性能が得られない。
【０００５】
そこで本発明は風速分布がある領域に対して複数のパスに分配しても熱交換器全体で風速分布の影響が少なく，空気と均一な熱交換ができる熱交換器およびそれを用いたヒートポンプ式給湯機を提供することを目的とする。
【課題を解決するための手段】
【０００６】
上記目的は、空気を通過させるためのファンと、冷媒が通過する第1のパスと第２のパスを備え、前記空気と前記冷媒との間で熱を交換する熱交換器において、前記第1のパスの入口付近の前記空気の流速が、前記第1のパスの出口付近の前記空気の流速よりも大であって、前記第２のパスの入口付近の前記空気の流速が、前記第２のパスの出口付近の前記空気の流速よりも小であることにより達成される。
【発明の効果】
【０００７】
本発明によれば分配器で分配された冷媒の一部もしくはすべてを熱交換器内で上記のように流すことにより，風速に分布がある領域に対して，複数の分配をおこなってもすべてのパスで空気とほぼ均一な熱交換を行うことができる。これにより熱交換器において圧力低下による性能の低下を防ぎつつ，均一な熱交換を行うことができるため，成績係数の向上が期待できる。
【図面の簡単な説明】
【０００８】
【図１】実施形態1に係わるヒートポンプ式給湯機を示す図である。
【図２】実施形態1に係わる分配器，空気熱交換器，送風ファンを示す図である。
【図３】実施形態1に係わる空気熱交換器のパスパターンを示す図である。
【図４】実施形態1に係わる空気熱交換器を通過する空気の風速分布を示す図である。
【図５】実施形態1に係わる空気熱交換器の冷媒配管図を示す図である。
【図６】実施形態2に係わる空気熱交換器のパスパターンを示す図である。
【図７】実施形態3に係わる空気熱交換器のパスパターンを示す図である。
【図８】実施形態4に係わるヒートポンプ式給湯機を示す図である。
【発明を実施するための形態】
【０００９】
以下，実施形態について図面を参照しながら説明する。
【実施例１】
【００１０】
図1および図2は第1の実施形態に係るヒートポンプ給湯機の概略図である。
ヒートポンプ給湯機は圧縮機1と，圧縮機1から吐出した冷媒と被加熱媒体である水とを熱交換させる水冷媒熱交換器2と，水冷媒熱交換器2からの冷媒を膨張させる膨張弁3と，膨張弁3からの冷媒を分配させる手段である分配器4と，分配器4で分配された冷媒と空気とを熱交換させる空気熱交換器5を備えており，それらが環状に接続されている。
空気熱交換器5の吹出側には空気を送るための送風ファン6が設置されている。
【００１１】
図3は3列の空気熱交換器5を流れる冷媒のパスパターンである。膨張弁3を通過した冷媒は分配器4で6つのパスに分配された後，空気熱交換器5の上段部，中段部，下段部に流入する。上段部および下段部に流入した冷媒は中間部で流出しており，中間部に流入した冷媒は上段部および下段部で流出している。なお，空気熱交換器5に流入した冷媒は図5に示すように空気と熱交換を行いながら流出する。
【００１２】
図4は空気熱交換器5を通過する空気の風速分布である。図4に示すように空気熱交換器5を通過する空気の流れには偏りがあり，空気熱交換器5の上部で風速は大きく，下部で小さく，中間部ではその中間の風速である。
【００１３】
平均風速の±4%の範囲を中風速領域，それよりも小さい風速の領域を小風速領域，大きい風速領域を大風速領域とし，本実施例では空気熱交換器へ大風速領域から流入した冷媒，小風速領域から流入した冷媒をそれぞれ風速がある程度均一な中間部から流出させることで，パスごとに風速が大きく熱交換量が大きいパスや風速が小さく熱交換量が小さいパスをなくすことができ，各パスの熱交換量の均一化をはかることができる。また，図5に示すように各パスの出口に向かう部分において熱交換器内を上部から下部に向かう流路と下部から上部に向かう流路とを隣合わせることで，過熱状態の冷媒が通過する管を隣合わせることができ，各パスの出口において過熱状態の冷媒が熱伝導によって冷却されることなく、冷媒出口温度は同一となる。そのため省エネ効果が期待できる。特にCO2ヒートポンプ給湯機では高い圧縮機吐出温度を必要とし，過熱度が高くなるためさらに効果が大きい。なお，実施例1では3列6パスを示したが，発明の効果は列数およびパス数によらないものである。
【実施例２】
【００１４】
図6は空気熱交換器5が3列4パスの場合のパスパターンである。
【００１５】
実施例1と同様の理由により各パスの均一化が可能である。また，各パスの出口において熱交換器内を上部から下部に向かう流路と下部から上部に向かう流路とを隣合わせることで，過熱状態の冷媒が通過する管を隣合わせることができ，各パスの出口において冷媒が熱伝導によって冷却されることなく，冷媒出口温度は同等となる。これらは空気熱交換器における熱交換効率を向上させることができるため，省エネ効果が期待できる。
【実施例３】
【００１６】
図7は空気熱交換器5が2列4パスの場合のパスパターンである。
【００１７】
実施例1と同様の理由により各パスの均一化が可能である。また，各パスの出口において熱交換器内を上部から下部に向かう流路と下部から上部に向かう流路とを隣合わせることで，過熱状態の冷媒が通過する管を隣合わせることができ，各パスの出口において冷媒が冷却されることなく，冷媒出口温度は同等となる。これらは空気熱交換器における熱交換効率を向上させることができるため，省エネ効果が期待できる。
【実施例４】
【００１８】
図8は第3の実施形態に係るもので，加熱熱交換器が送風ファンの下に位置しているヒートポンプ給湯機である。
【００１９】
この場合においても実施例1と同様の理由により、上記実施例1および実施例2の空気熱交換器のパスパターンは有効である。
【符号の説明】
【００２０】
1：圧縮機
2：水冷媒熱交換器
3：膨張弁
4：分配器
5：空気熱交換器
6：送風ファン
【図１】
2015034669.tif 000003
【図２】
2015034669.tif 000004
【図３】
2015034669.tif 000005
【図４】
2015034669.tif 000006
【図５】
2015034669.tif 000007
【図６】
2015034669.tif 000008
【図７】
2015034669.tif 000009
【図８】
2015034669.tif 000010